(57)【要約】  Ｄ２Ｄ通信をサポートする無線通信システムにおけるユーザ装置であって、優先度の高いＭＡＣ  ＰＤＵを送信する場合に、Ｄ２Ｄ用制御チャネルに割当てられた無線リソースのうち優先度の高いＭＡＣ  ＰＤＵに対応する無線リソース割当て情報の送信に用いられる特定のサブフレームを用いて、無線リソース割当て情報を送信する第一の送信部と、送信された前記無線リソース割当て情報に従って、Ｄ２Ｄ用データチャネルでＭＡＣ  ＰＤＵを送信する第二の送信部と、を有するユーザ装置を提供する。
2017026517.tif 000002
【特許請求の範囲】
【請求項１】
Ｄ２Ｄ通信をサポートする無線通信システムにおけるユーザ装置であって、
優先度の高いＭＡＣ  ＰＤＵを送信する場合に、Ｄ２Ｄ用制御チャネルに割当てられた無線リソースのうち優先度の高いＭＡＣ  ＰＤＵに対応する無線リソース割当て情報の送信に用いられる特定のサブフレームを用いて、無線リソース割当て情報を送信する第一の送信部と、
送信された前記無線リソース割当て情報に従って、Ｄ２Ｄ用データチャネルでＭＡＣ  ＰＤＵを送信する第二の送信部と、
を有するユーザ装置。
【請求項２】
前記第一の送信部は、Ｄ２Ｄ通信に割当てられた無線リソースのうち特定の無線リソースにおいて、ＭＡＣ  ＰＤＵを送信可能な送信タイミング数が所定の閾値以上である送信タイミングパターンを含む前記無線リソース割当て情報を送信する、請求項１に記載のユーザ装置。
【請求項３】
前記第一の送信部は、Ｄ２Ｄ用データチャネルに割当てられた無線リソースのうち優先度の高いＭＡＣ  ＰＤＵを送信する際に用いられる特定のサブフレームでＭＡＣ  ＰＤＵを送信可能な送信タイミングパターンを含む前記無線リソース割当て情報を送信する、請求項１又は２に記載のユーザ装置。
【請求項４】
前記第二の送信部は、優先度の高いＭＡＣ  ＰＤＵが含まれることを示す情報をサブヘッダ部に含めてＤ２Ｄ用データチャネルで前記ＭＡＣ  ＰＤＵを送信する、請求項１乃至３のいずれか一項に記載のユーザ装置。
【請求項５】
Ｄ２Ｄ通信をサポートする無線通信システムにおけるユーザ装置であって、
Ｄ２Ｄ用制御チャネルで無線リソース割当て情報を受信し、受信した無線リソース割当て情報に対応するＭＡＣ  ＰＤＵをＤ２Ｄ用データチャネルで受信する受信部と、
他のユーザ装置向けのＭＡＣ  ＰＤＵを送信する送信部であって、Ｄ２Ｄ用制御チャネルに割当てられた無線リソースのうち優先度の高いＭＡＣ  ＰＤＵに対応する無線リソース割当て情報の送信に用いられる特定のサブフレームで前記受信した無線リソース割当て情報が受信された場合、優先度の高いＭＡＣ  ＰＤＵの送信が予定されていることを示す情報が前記受信した無線リソース割当て情報に含まれていた場合、又は、受信部で受信されたＭＡＣ  ＰＤＵのサブヘッダに優先度の高いＭＡＣ  ＰＤＵが含まれることを示す情報が含まれていた場合に、前記他のユーザ装置向けのＭＡＣ  ＰＤＵの送信を中止する送信部と、
を有するユーザ装置。
【請求項６】
前記送信部は、前記受信した無線リソース割当て情報に含まれる送信タイミングパターンにより特定されるサブフレームにおいて、前記他のユーザ装置向けのＭＡＣ  ＰＤＵの送信を中止する、請求項５に記載のユーザ装置。
【請求項７】
Ｄ２Ｄ通信をサポートする無線通信システムにおけるユーザ装置が行う通信方法であって、
優先度の高いＭＡＣ  ＰＤＵを送信する場合に、Ｄ２Ｄ用制御チャネルに割当てられた無線リソースのうち優先度の高いＭＡＣ  ＰＤＵに対応する無線リソース割当て情報の送信に用いられる特定のサブフレームを用いて、無線リソース割当て情報を送信する第一の送信ステップと、
送信された前記無線リソース割当て情報に従って、Ｄ２Ｄ用データチャネルでＭＡＣ  ＰＤＵを送信する第二の送信ステップと、
を有する通信方法。
【請求項８】
Ｄ２Ｄ通信をサポートする無線通信システムにおけるユーザ装置が行う通信方法であって、
Ｄ２Ｄ用制御チャネルで無線リソース割当て情報を受信し、受信した無線リソース割当て情報に対応するＭＡＣ  ＰＤＵをＤ２Ｄ用データチャネルで受信する受信ステップと、
他のユーザ装置向けのＭＡＣ  ＰＤＵを送信する送信ステップであって、Ｄ２Ｄ用制御チャネルに割当てられた無線リソースのうち優先度の高いＭＡＣ  ＰＤＵに対応する無線リソース割当て情報の送信に用いられる特定のサブフレームで前記受信した無線リソース割当て情報が受信された場合、優先度の高いＭＡＣ  ＰＤＵの送信が予定されていることを示す情報が前記受信した無線リソース割当て情報に含まれていた場合、又は、受信ステップで受信されたＭＡＣ  ＰＤＵのサブヘッダに優先度の高いＭＡＣ  ＰＤＵが含まれることを示す情報が含まれていた場合に、前記他のユーザ装置向けのＭＡＣ  ＰＤＵの送信を中止する送信ステップと、
を有する通信方法。
【発明の詳細な説明】
【技術分野】
【０００１】
本発明は、ユーザ装置及び通信方法に関する。
【背景技術】
【０００２】
ＬＴＥ（Long Term Evolution）及びＬＴＥの後継システム（例えば、ＬＴＥ−Ａ（LTE-Advanced）、ＦＲＡ（Future Radio Access）、４Ｇなどともいう）では、ユーザ端末同士が無線基地局を介さないで直接通信を行うＤ２Ｄ（Device to Device）技術が検討されている（例えば、非特許文献１）。【０００３】
Ｄ２Ｄは、ユーザ装置と基地局との間のトラヒックを軽減したり、災害時などに基地局が通信不能になった場合でもユーザ装置間の通信を可能とする。【０００４】
また、Ｄ２Ｄでは、カバレッジ外での直接通信及びプッシュ通話（ＰＴＴ：Push to Talk）のサポートが予定されている。また、３ＧＰＰでは災害時等にプッシュ通話を実現するＭＣＰＴＴ（Mission Critical Push To Talk）サービスが検討されている（例えば、非特許文献２）。【０００５】
Ｄ２Ｄは、通信可能な他のユーザ端末を見つけ出すためのＤ２Ｄディスカバリ（D2D discovery、Ｄ２Ｄ発見ともいう）と、端末間で直接通信するためのＤ２Ｄコミュニケーション（D2D direct communication、Ｄ２Ｄ通信、端末間直接通信などともいう）と、に大別される。以下では、Ｄ２Ｄコミュニケーション、Ｄ２Ｄディスカバリなどを特に区別しないときは、単にＤ２Ｄと呼ぶ。また、Ｄ２Ｄで送受信される信号を、Ｄ２Ｄ信号と呼ぶ。
【先行技術文献】
【非特許文献】
【０００６】
【非特許文献１】"Key drivers for LTE success:Services Evolution"、２０１１年９月、3GPP、インターネットURL：http://www.3gpp.org/ftp/Information/presentations/presentations_2011/2011_09_LTE_Asia/2011_LTE-Asia_3GPP_Service_evolution.pdf
【非特許文献２】３ＧＰＰ  ＴＳ２２．１７９  Ｖ１３．２．０（２０１５−０６）
【発明の概要】
【発明が解決しようとする課題】
【０００７】
例えばＭＣＰＴＴでは、送信側のユーザ装置から発呼された優先度が高い通信呼を確実に周辺のユーザ装置に着呼させることが求められる。そのため、ユーザ装置は、優先度が高い通信呼が発呼されることを確実に検出すると共に、仮に通信中又は何かしらの通信を予定している場合は優先度の高い通信呼のために無線リソースを解放するのが望ましい。【０００８】
しかしながら、Ｄ２Ｄ通信では、ユーザ装置から基地局への上り信号送信のリソースとして既に規定されている上りリソースの一部が利用される。つまり、Ｄ２Ｄは送受信で共通の帯域を用いる半二重通信（Half Duplex）であることから、同一サブフレームにおいてＤ２Ｄ信号の送信及び受信を同時に行うことができない。つまり、優先度の高いユーザ装置が優先度の高い通信呼を発呼しても、受信側のユーザ装置がＤ２Ｄ信号を送信している間は当該優先度の高い通信呼は無視されてしまう。【０００９】
図１Ａ、Ｂ及びＣは、Ｄ２Ｄ信号の送信が重複する場合の一例を示す図である。図１Ａは、ＵＥ１及びＵＥ２が、Ｄ２Ｄにおける無線リソース割当て情報であるＳＣＩ（Sidelink Control Information）を同一のサブフレームで送信した場合を示しており、図１Ｂは、ＵＥ１及びＵＥ２が、ＳＣＩを同一の無線リソースで送信した場合を示している。【００１０】
Ｄ２Ｄでは、基地局ｅＮＢが無線リソースを割当てる方式の他に、ユーザ装置自身が無線リソースをランダムに選択する方式も規定されているため、図１Ａ及び図１Ｂの状態が発生し得る。図１Ａ及び図１Ｂの場合、ＳＣＩを送信中であるＵＥ１は、ＵＥ２から送信されたＳＣＩを受信することができない。また、ＳＣＩにはスケジューリング情報が格納されているため、ＵＥ１は、ＳＣＩを受信することができないとその後にＵＥ２から送信されるデータ（ＭＡＣ（Medium Access Control）  ＰＤＵ（Protocol Data Unit））も受信することができない。【００１１】
図１Ｃは、データ送信用のチャネルであるＰＳＳＣＨ（Physical Sidelink Shared Channel）におけるデータ送信タイミング（データ送信を行うサブフレーム）のパターンを示すＴ−ＲＰＴ（Time Resource Patter）のうち、ＵＥ２の全てのデータ送信タイミングでＵＥ１もデータを送信するようなパターンのＴ−ＲＰＴが選択された場合を示している。図１Ｃにおいて、「０」はデータを送信しないタイミング（サブフレーム）、「１」はデータを送信するタイミング（サブフレーム）を示す。図１Ｃにおいて、ＵＥ２のＴ−ＲＰＴで「１」である送信タイミングは、ＵＥ１のＴ−ＲＰＴでも「１」である。つまり、ＵＥ２がデータを送信する全てのタイミングでＵＥ１もデータを送信することになるため、ＵＥ１はＵＥ２から送信されたデータを受信することができない。【００１２】
開示の技術は上記に鑑みてなされたものであって、Ｄ２Ｄ通信において、優先度の高いデータの受信率を高めることが可能な技術を提供することを目的とする。
【課題を解決するための手段】
【００１３】
開示の技術のユーザ装置ＵＥは、Ｄ２Ｄ通信をサポートする無線通信システムにおけるユーザ装置であって、優先度の高いＭＡＣ  ＰＤＵを送信する場合に、Ｄ２Ｄ用制御チャネルに割当てられた無線リソースのうち優先度の高いＭＡＣ  ＰＤＵに対応する無線リソース割当て情報の送信に用いられる特定のサブフレームを用いて、無線リソース割当て情報を送信する第一の送信部と、送信された前記無線リソース割当て情報に従って、Ｄ２Ｄ用データチャネルでＭＡＣ  ＰＤＵを送信する第二の送信部と、を有する。【００１４】
また、開示の技術のユーザ装置ＵＥは、Ｄ２Ｄ通信をサポートする無線通信システムにおけるユーザ装置であって、Ｄ２Ｄ用制御チャネルで無線リソース割当て情報を受信し、受信した無線リソース割当て情報に対応するＭＡＣ  ＰＤＵをＤ２Ｄ用データチャネルで受信する受信部と、他のユーザ装置向けのＭＡＣ  ＰＤＵを送信する送信部であって、Ｄ２Ｄ用制御チャネルに割当てられた無線リソースのうち優先度の高いＭＡＣ  ＰＤＵに対応する無線リソース割当て情報の送信に用いられる特定のサブフレームで前記受信した無線リソース割当て情報が受信された場合、優先度の高いＭＡＣ  ＰＤＵの送信が予定されていることを示す情報が前記受信した無線リソース割当て情報に含まれていた場合、又は、受信部で受信されたＭＡＣ  ＰＤＵのサブヘッダに優先度の高いＭＡＣ  ＰＤＵが含まれることを示す情報が含まれていた場合に、前記他のユーザ装置向けのＭＡＣ  ＰＤＵの送信を中止する送信部と、を有する。
【発明の効果】
【００１５】
開示の技術によれば、Ｄ２Ｄ通信において、優先度の高いデータの受信率を高めることが可能な技術が提供される。
【図面の簡単な説明】
【００１６】
【図１Ａ】Ｄ２Ｄ信号の送信が重複する場合の一例を示す図である。
【図１Ｂ】Ｄ２Ｄ信号の送信が重複する場合の一例を示す図である。
【図１Ｃ】Ｄ２Ｄ信号の送信が重複する場合の一例を示す図である。
【図２】実施の形態における無線通信システムの構成の一例を示す図である。
【図３】Ｄ２Ｄ通信を説明するための図である。
【図４】Ｄ２Ｄ通信に用いられるＭＡＣ  ＰＤＵを説明するための図である。
【図５】ＳＬ−ＳＣＨ ｓｕｂｈｅａｄｅｒのフォーマットを説明するための図である。
【図６】実施の形態におけるユーザ装置間で行われる処理手順の一例を示すシーケンス図である。
【図７Ａ】実施の形態におけるＳＣＩ送信方法の一例を示す図である。
【図７Ｂ】実施の形態におけるＳＣＩ送信方法の一例を示す図である。
【図７Ｃ】実施の形態におけるＳＣＩ送信方法の一例を示す図である。
【図７Ｄ】実施の形態におけるＳＣＩ送信方法の一例を示す図である。
【図８】「Ｐｒｅ−ｅｍｐｔｉｏｎ信号」を送信するための無線リソースの一例（その１）を説明するための図である。
【図９】「Ｐｒｅ−ｅｍｐｔｉｏｎ信号」を送信するための無線リソースの一例（その２）を説明するための図である。
【図１０Ａ】「Ｐｒｅ−ｅｍｐｔｉｏｎ信号」を含むＭＡＣ  ＰＤＵのＳＬ−ＳＣＨ ｓｕｂｈｅａｄｅｒの一例を示す図である。
【図１０Ｂ】「Ｐｒｅ−ｅｍｐｔｉｏｎ信号」を含むＭＡＣ  ＰＤＵのＳＬ−ＳＣＨ ｓｕｂｈｅａｄｅｒの一例を示す図である。
【図１０Ｃ】「Ｐｒｅ−ｅｍｐｔｉｏｎ信号」を含むＭＡＣ  ＰＤＵのＳＬ−ＳＣＨ ｓｕｂｈｅａｄｅｒの一例を示す図である。
【図１１】優先度が高いユーザ装置向けのリソースプールの一例を示す図である。
【図１２】実施の形態に係るユーザ装置の機能構成の一例を示す図である。
【図１３】実施の形態に係る基地局の機能構成の一例を示す図である。
【図１４】実施の形態に係るユーザ装置及び基地局のハードウェア構成の一例を示す図である。
【発明を実施するための形態】
【００１７】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１８】
＜概要＞
図２に示すように、本実施の形態における無線通信システムは、基地局ｅＮＢと、ユーザ装置ＵＥ１とユーザ装置ＵＥ２とを有する。基地局ｅＮＢは、例えばマクロセルの報知情報（システム情報：ＳＩＢ）又はＲＲＣ（Radio Resource Control）等を用いて、Ｄ２Ｄ信号の送受信の為に用いられるリソースプールの割り当て等を行う。なお、以下の説明において、ユーザ装置ＵＥ１及びユーザ装置ＵＥ２のうち任意のユーザ装置を「ユーザ装置ＵＥ」と呼ぶ。
【００１９】
本実施の形態において、ユーザ装置ＵＥ２は、例えばＭＣＰＰＴ等の優先度の高い通信を開始するユーザ装置ＵＥであり、ユーザ装置ＵＥ１は、ユーザ装置ＵＥ２よりも優先度の低い一般のユーザ装置ＵＥである前提とする。図２では、ユーザ装置ＵＥ１及びユーザ装置ＵＥ２がそれぞれ１つずつ図示されているが、便宜上でありユーザ装置ＵＥ１及びユーザ装置ＵＥ２の数に制約はない。
【００２０】
本実施の形態では、ユーザ装置ＵＥ２が優先度の高い通信を開始することを周辺のユーザ装置ＵＥに通知するための信号を、便宜上「Ｐｒｅ−ｅｍｐｔｉｏｎ信号」と呼ぶ。Ｐｒｅ−ｅｍｐｔｉｏｎ信号に含まれる情報の内容について特に制限はないが、例えば、緊急通報に関するデータを送信するための無線リソースを予約するための情報など高プライオリティの情報が想定される。
【００２１】
ここで、ＬＴＥにおけるＤ２Ｄの信号送信の概要を説明する。図３は、Ｄ２Ｄにおける物理チャネル全体の構成を示している。「Ｄｉｓｃｏｖｅｒｙ」については、図３に示すように、Ｄｉｓｃｏｖｅｒｙ  ｐｅｒｉｏｄ毎に、Ｄｉｓｃｏｖｅｒｙメッセージ用のリソースプールが確保され、ユーザ装置ＵＥはそのリソースプール内でＤｉｓｃｏｖｅｒｙメッセージを送信する。より詳細にはＴｙｐｅ１、Ｔｙｐｅ２ｂがある。Ｔｙｐｅ１では、ユーザ装置ＵＥが自律的にリソースプールから送信リソースを選択する。Ｔｙｐｅ２ｂでは、上位レイヤシグナリング（例えばＲＲＣ信号）により準静的なリソースが割り当てられる。
【００２２】
「Ｃｏｍｍｕｎｉｃａｔｉｏｎ」についても、図３に示すように、Ｃｏｎｔｒｏｌ／データ送信用リソースプールが周期的に確保される。リソースプールが確保される周期は「ＳＣ  Ｐｅｒｉｏｄ」と称される。送信側のユーザ装置ＵＥはＣｏｎｔｒｏｌリソースプールから選択されたリソースでＳＣＩによりデータ送信用リソース等を受信側のユーザ装置ＵＥに通知し、当該データ送信用リソースでデータを送信する。受信側のユーザ装置ＵＥは、取得したＳＣＩに含まれる情報（Ｔ−ＲＰＴ、無線リソース割当て情報、ＭＣＳ等）を用いて当該データ送信用リソースを把握してデータを受信する。
【００２３】
「Ｃｏｍｍｕｎｉｃａｔｉｏｎ」について、より詳細には、Ｍｏｄｅ１とＭｏｄｅ２がある。Ｍｏｄｅ１では、基地局ｅＮＢからユーザ装置ＵＥに送られる（Ｅ）ＰＤＣＣＨによりダイナミックにリソースが割り当てられる。Ｍｏｄｅ２では、ユーザ装置ＵＥはＣｏｎｔｒｏｌ／データ送信用リソースプールから自律的に送信リソースを選択する。リソースプールについては、ＳＩＢで通知されたり、予め定義されたものが使用される。
【００２４】
ＬＴＥにおいて、「Ｄｉｓｃｏｖｅｒｙ」に用いられるチャネルはＰＳＤＣＨ（Physical Sidelink Discovery Channel）と称され、「Ｃｏｍｍｕｎｉｃａｔｉｏｎ」におけるＳＣＩ等の制御情報を送信するチャネルはＰＳＣＣＨ（Physical Sidelink Control Channel）と称され、データを送信するチャネルはＰＳＳＣＨと称される。
【００２５】
Ｄ２Ｄ通信に用いられるＭＡＣ  ＰＤＵは、図４に示すように、少なくともＭＡＣ  ｈｅａｄｅｒ、ＭＡＣ  Ｃｏｎｔｒｏｌ  ｅｌｅｍｅｎｔ、ＭＡＣ  ＳＤＵ（Service Data Unit）、Ｐａｄｄｉｎｇで構成される。ＭＡＣ  ＰＤＵはその他の情報を含んでも良い。ＭＡＣ  ｈｅａｄｅｒは、１つのＳＬ−ＳＣＨ（Sidelink Shared Channel）ｓｕｂｈｅａｄｅｒと、１つ以上のＭＡＣ  ＰＤＵ  ｓｕｂｈｅａｄｅｒで構成される。
【００２６】
図５に示すように、ＳＬ−ＳＣＨ ｓｕｂｈｅａｄｅｒは、ＭＡＣ  ＰＤＵフォーマットバージョン（Ｖ）、送信元情報（ＳＲＣ）、送信先情報（ＤＳＴ）、Ｒｅｓｅｒｖｅｄ  ｂｉｔ（Ｒ）等で構成される。Ｖは、ＳＬ−ＳＣＨ ｓｕｂｈｅａｄｅｒの先頭に割り当てられ、ユーザ装置ＵＥが用いるＭＡＣ  ＰＤＵフォーマットバージョンを示す。送信元情報には、送信元に関する情報が設定される。送信元情報には、ＰｒｏＳｅ  ＵＥ  ＩＤに関する識別子が設定されてもよい。送信先情報には、送信先に関する情報が設定される。送信先情報には、送信先のＰｒｏＳｅ  Ｌａｙｅｒ−２  Ｇｒｏｕｐ  ＩＤに関する情報が設定されてもよい。
【００２７】
本実施の形態において、ユーザ装置ＵＥは、Ｄ２Ｄ通信をサポートするユーザ装置ＵＥであればどのようなユーザ装置ＵＥにも適用できる。また、以下の説明において、ユーザ装置ＵＥ２は「Ｐｒｅ−ｅｍｐｔｉｏｎ信号」を送信する前提で説明するが、本実施の形態は「Ｐｒｅ−ｅｍｐｔｉｏｎ信号」に限られず、他のデータについても適用できる。また、以下の説明において、「優先度の高いＭＡＣ  ＰＤＵ」とは、「Ｐｒｅ−ｅｍｐｔｉｏｎ信号」に係るＭＡＣ  ＰＤＵ、優先度が高く設定されている論理チャネルで送信されるデータから生成されるＭＡＣ  ＰＤＵ、優先度が高く設定されているＵ−ｐｌａｎｅデータから生成されるＭＡＣ  ＰＤＵなどを含む意味で使用する。以下、本実施の形態における無線通信システムが行う具体的な処理手順について説明する。
【００２８】
＜処理手順＞
（優先度の高いＭＡＣ  ＰＤＵを受信するための処理手順）
図６は、実施の形態におけるユーザ装置間で行われる処理手順の一例を示すシーケンス図である。図６を用いて、ユーザ装置ＵＥ１とユーザ装置ＵＥ２とが同時にデータ送信を行う場合に、ユーザ装置ＵＥ２が優先度の高い通信を開始しようとしていることを、ユーザ装置ＵＥ１が検出する際の処理手順を説明する。
【００２９】
図６において、ユーザ装置ＵＥ１は任意のデータ（例えば、「Ｃｏｍｍｕｎｉｃａｔｉｏｎ」に用いられるデータ）をＭＡＣ  ＰＤＵに含めて送信し、ユーザ装置ＵＥ２は、Ｐｒｅ−ｅｍｐｔｉｏｎ信号をＭＡＣ  ＰＤＵに含めて送信する前提とする。また、図６では、ユーザ装置ＵＥ１及びユーザ装置ＵＥ２は、お互いにＤ２Ｄ信号を送受信しているように図示されているが、ユーザ装置ＵＥ１及びユーザ装置ＵＥ２が、それぞれ不特定のユーザ装置ＵＥ向けにＤ２Ｄ信号を送信する場合、及び、特定のグループのユーザ装置ＵＥ向けにＤ２Ｄを送信する場合も含む。なお、ユーザ装置ＵＥは、自身がＤ２Ｄ信号の送信を行っていないサブフレームでは、他のユーザ装置ＵＥから送信されるＤ２Ｄ信号をモニタする。
【００３０】
まず、ユーザ装置ＵＥ１及びユーザ装置ＵＥ２が、それぞれＭＡＣ  ＰＤＵの送信を開始するためにＰＳＣＣＨでＳＣＩを送信する（Ｓ１１、Ｓ１２）。本実施の形態において、ユーザ装置ＵＥ２は、ＳＣＩをユーザ装置ＵＥ１に受信させるために、ユーザ装置ＵＥ１がＳＣＩを送信するタイミングと重複しないようにＳＣＩを送信するようにする。ユーザ装置ＵＥ２がＳＣＩを送信する方法について図を用いて具体的に説明する。
【００３１】
図７Ａ、Ｂ、Ｃ及びＤは、実施の形態におけるＳＣＩ送信方法の一例を示す図である。従来のＤ２Ｄの規定では、同一のＳＣ  ｐｅｒｉｏｄにおいて、同一のＳＣＩを２回繰り返し送信することが規定されている。そこで、実施の形態におけるユーザ装置ＵＥ２は、ＳＣＩを３回以上繰り返し送信するようにする。
【００３２】
図７Ａ及び図７Ｃは、ユーザ装置ＵＥ２がＳＣＩを３回繰り返し送信する場合に、ＳＣＩをマッピングするＰＳＣＣＨのリソースの一例を示しており、図７Ｂ及び図７Ｄは、ユーザ装置ＵＥ２がＳＣＩを４回繰り返し送信する場合に、ＳＣＩをマッピングするＰＳＣＣＨのリソースの一例を示している。ユーザ装置ＵＥ１は、従来のＤ２Ｄの規定に従ってＳＣＩを２回送信するため、図７Ａ、Ｂ、Ｃ及びＤのようにユーザ装置ＵＥ１及びユーザ装置ＵＥ２の各々がＳＣＩを送信するサブフレームが重複した場合であっても、ユーザ装置ＵＥ１は、ＳＣＩを受信できることになる。つまり、ユーザ装置ＵＥ１は、少なくとも、ユーザ装置ＵＥ２が３回目以降に送信したＳＣＩ（図７Ａ、Ｂ、Ｃ及びＤの「３」及び「４」のＳＣＩ）を受信することができることになる。
【００３３】
なお、本実施の形態では、ＰＳＣＣＨに割当てられた無線リソースのうち、優先度の高いＭＡＣ  ＰＤＵに対応するＳＣＩのみを送信可能な無線リソースを予め確保しておき、優先度の低いユーザ装置ＵＥ１は、当該無線リソースを必ずモニタするようにしてもよい。例えば、図７Ａ、Ｂ、Ｃ及びＤの「３」及び「４」に示すＳＣＩが送信されているサブフレームは、優先度の高いＭＡＣ  ＰＤＵに対応するＳＣＩのみを送信可能な無線リソースであってもよい。ユーザ装置ＵＥ１は、当該サブフレームでＳＣＩを受信した場合、優先度の高いＭＡＣ  ＰＤＵが送信されようとしていることを予め把握することができる。
【００３４】
また、本実施の形態では、ユーザ装置ＵＥ２は、ＳＣＩの中に優先度の高いＭＡＣ  ＰＤＵを送信予定であることを示す識別子を含めるようにしてもよい。また、ＬＴＥで規定されている複数のＴ−ＲＰＴのうち、優先度の高いＭＡＣ  ＰＤＵの送信のみに用いられる１以上の特定のＴ−ＲＰＴを予め規定しておき、ユーザ装置ＵＥ２は、当該特定のＴ−ＲＰＴを選択するようにしてもよい。これにより、当該識別子又は特定のＴ−ＲＰＴを含むＳＣＩを受信したユーザ装置ＵＥ１は、優先度の高いＭＡＣ  ＰＤＵが送信されようとしていることを予め把握することができる。
【００３５】
なお、優先度の高いユーザ装置ＵＥ２のみがＳＣＩを送信可能な無線リソース、及び優先度の高いＭＡＣ  ＰＤＵの送信にのみ用いられる特定のＴ−ＲＰＴは、基地局ｅＮＢからＲＲＣ信号、報知情報（ＳＩＢ）、レイヤ１又はレイヤ２の制御信号を介してユーザ装置ＵＥに通知されるようにしてもよい。また、ＳＩＭ（Subscriber Identity Module）に予め設定されていてもよいし、コアネットワークから送信される上位レイヤの制御信号を介して通知されるようにしてもよい。図６に戻り説明を続ける。
【００３６】
次に、ユーザ装置ＵＥ１及びユーザ装置ＵＥ２が、それぞれＰＳＳＣＨでＭＡＣ  ＰＤＵを送信する（Ｓ１３、Ｓ１４）。ここで、ユーザ装置ＵＥ２は、「Ｐｒｅ−ｅｍｐｔｉｏｎ信号」を含むＭＡＣ  ＰＤＵをユーザ装置ＵＥ１に受信させるために、特定の無線リソースでＭＡＣ  ＰＤＵを送信するようにする。以下、特定の無線リソースについて図を用いて具体的に説明する。
【００３７】
図８は、「Ｐｒｅ−ｅｍｐｔｉｏｎ信号」を送信するための無線リソースの一例（その１）を説明するための図である。実施の形態では、Ｄ２Ｄ通信に割当てられるリソースプールのうち、特定のＳＣ  Ｐｅｒｉｏｄを「Ｐｒｅ−ｅｍｐｔｉｏｎ信号」を送信するための無線リソースとして割り当てるようにしてもよい。特定のＳＣ  Ｐｅｒｉｏｄは、図８に示すように、周期的（図８の「ＳＣ  Ｐｅｒｉｏｄ＃３」、「ＳＣ  Ｐｅｒｉｏｄ＃７」・・）に割り当てられるようにしてもよい。
【００３８】
また、優先度の高いユーザ装置ＵＥ２は、特定のＳＣ  Ｐｅｒｉｏｄにおいて、ＭＡＣ  ＰＤＵを送信する際の送信タイミング数が所定の閾値以上であるＴ−ＲＰＴを選択するようにしてもよい。また、優先度の低いユーザ装置ＵＥ１は、特定のＳＣ  Ｐｅｒｉｏｄにおいて、ＭＡＣ  ＰＤＵを送信する際の送信タイミング数が所定の閾値以下であるＴ−ＲＰＴを選択するようにしてもよい。当該所定の閾値は、同一値であってもよいし、優先度の高いユーザ装置ＵＥ２が用いる所定の閾値と、優先度の低いユーザ装置ＵＥ１が用いる所定の閾値とは異なる値であってもよい。一例として、優先度の高いユーザ装置ＵＥ２が用いる所定の閾値は「７」であり、優先度の低いユーザ装置ＵＥ２が用いる所定の閾値は「１」であるようにしてもよい。
【００３９】
これにより、ユーザ装置ＵＥ１及びユーザ装置ＵＥ２が図８に示すＴ−ＲＰＴを選択した場合、ユーザ装置ＵＥ１及びユーザ装置ＵＥ２が送信するＭＡＣ  ＰＤＵのうち送信タイミング（サブフレーム）が重複するのは１サブフレームのみになる。つまり、ユーザ装置ＵＥは、当該重複したサブフレーム以外のサブフレームで、ユーザ装置ＵＥ２が送信した「Ｐｒｅ−ｅｍｐｔｉｏｎ信号」を含むＭＡＣ  ＰＤＵを受信できることになる。
【００４０】
なお、周期的に割り当てられる特定のＳＣ  Ｐｅｒｉｏｄを、ユーザ装置ＵＥで特定可能にするために、ＳＣ  Ｐｅｒｉｏｄを一意に識別する識別子を付与しておき、当該特定のＳＣ  Ｐｅｒｉｏｄをｎ＋ＫＴ（「ｎ」はオフセット値、「Ｋ」は整数（１、２、３・・）、「Ｔ」は間隔を示す）の計算式で特定されるようにしてもよい。図８の例では、ｎ＝−１、Ｔ＝４になる。また、ＳＣ  Ｐｅｒｉｏｄ＃０は、ＤＦＮ（Direct Frame Number）のサイクルのうち、最初に全体が含まれるＳＣ  Ｐｅｒｉｏｄとしてもよい。
【００４１】
なお、優先度の高いユーザ装置ＵＥ２が用いる所定の閾値、優先度の低いユーザ装置ＵＥ１が用いる所定の閾値、及び「ｎ」、「Ｔ」の値は、基地局ｅＮＢからＲＲＣ信号、報知情報（ＳＩＢ）、レイヤ１又はレイヤ２の制御信号を介してユーザ装置ＵＥに通知されるようにしてもよい。また、ＳＩＭ（Subscriber Identity Module）に予め設定されていてもよいし、コアネットワークから送信される上位レイヤの制御信号を介して通知されるようにしてもよい。
【００４２】
図９は、「Ｐｒｅ−ｅｍｐｔｉｏｎ信号」を送信するための無線リソースの一例（その２）を説明するための図である。実施の形態では、Ｄ２Ｄ通信に割当てられるリソースプールのうち、各ＳＣ  Ｐｅｒｉｏｄに含まれるＰＳＳＣＨの無線リソースの特定のサブフレームを「Ｐｒｅ−ｅｍｐｔｉｏｎ信号」を送信するための無線リソースとして割り当てるようにしてもよい。当該特定のサブフレームは、１つであってもよいし複数であってもよい。図９の例は、ＰＳＳＣＨの最初のサブフレーム（図９の「予約領域」）を、当該特定のサブフレームとして割り当てた場合を示している。
【００４３】
また、優先度の高いユーザ装置ＵＥ２は、特定のサブフレームで「Ｐｒｅ−ｅｍｐｔｉｏｎ信号」を含むＭＡＣ  ＰＤＵを送信するパターンのＴ−ＲＰＴを選択する。一方、優先度の低いユーザ装置ＵＥ１は、特定のサブフレームでＭＡＣ  ＰＤＵを送信せずにＤ２Ｄ信号をモニタするようにする。具体的には、ユーザ装置ＵＥ１は、図９の「Ｔ−ＲＰＴ  ｐａｔｔｅｒｎ＿Ａ」に示すように、特定のサブフレームではＭＡＣ  ＰＤＵを送信しないパターンのＴ−ＲＰＴを選択することで、特定のサブフレームをモニタするようにする。
【００４４】
なお、ユーザ装置ＵＥ１は、前述のように、ＳＣＩを受信した時点で優先度の高いＭＡＣ  ＰＤＵが送信されようとしていることを予め把握できている場合、特定のサブフレームでＭＡＣ  ＰＤＵの送信を中止する（送信前に破棄する）して、特定のサブフレームをモニタするようにしてもよい。例えば、図９の「Ｔ−ＲＰＴ  ｐａｔｔｅｒｎ＿Ｂ」に示すように、特定のサブフレームでＭＡＣ  ＰＤＵを送信するパターンのＴ−ＲＰＴを選択していた場合、ユーザ装置ＵＥ１は、特定のサブフレームではＭＡＣ  ＰＤＵの送信を中止する（送信前に破棄する）して特定のサブフレームをモニタするようにしてもよい。なお、ユーザ装置ＵＥ１は、図６のステップＳ１２で受信したＳＣＩに含まれるＴ−ＲＰＴが特定のサブフレームでＭＡＣ  ＰＤＵを送信するパターンのＴ−ＲＰＴであった場合に、優先度の高いＭＡＣ  ＰＤＵが送信されようとしていると認識するようにしてもよい。また、特定のサブフレームでＭＡＣ  ＰＤＵを受信した場合に、優先度の高いＭＡＣ  ＰＤＵを受信したことを認識するようにしてもよい。
【００４５】
以上説明したように、ユーザ装置ＵＥ１は、特定のサブフレームではＭＡＣ  ＰＤＵを送信せずにモニタすることになるため、ユーザ装置ＵＥ２が送信した「Ｐｒｅ−ｅｍｐｔｉｏｎ信号」を含むＭＡＣ  ＰＤＵを受信できることになる。
【００４６】
図１０Ａ、Ｂ及びＣは、「Ｐｒｅ−ｅｍｐｔｉｏｎ信号」を含むＭＡＣ  ＰＤＵのＳＬ−ＳＣＨ ｓｕｂｈｅａｄｅｒの一例を示す図である。図１０Ａに示すように、ユーザ装置ＵＥ２は、ＳＬ−ＳＣＨ ｓｕｂｈｅａｄｅｒに含まれるＲｅｓｅｒｖｅｄ ｂｉｔ（Ｒ）に、優先度の高いＭＡＣ  ＰＤＵ（「Ｐｒｅ−ｅｍｐｔｉｏｎ信号」が含まれるＭＡＣ  ＰＤＵ）であることを示す識別子を設定するようにしてもよい。これにより、ユーザ装置ＵＥ１は、受信したＭＡＣ  ＰＤＵのＳＬ−ＳＣＨ ｓｕｂｈｅａｄｅｒを参照することで、優先度の高いＭＡＣ  ＰＤＵを受信したことを認識することができる。
【００４７】
また、図１０Ｂに示すように、ユーザ装置ＵＥ２は、送信予定である複数のＭＡＣ  ＰＤＵの優先度を示す識別子が設定可能なサブヘッダをＭＡＣ  ＰＤＵのヘッダ部に含めるようにしてもよい。サブヘッダはＭＡＣ  ＰＤＵごとに設定されるが、図１０Ｂに示すサブヘッダが含まれていることで、ユーザ装置ＵＥ１は、当該ＭＡＣ  ＰＤＵ（ＭＡＣ  ＰＤＵ１）以後にユーザ装置ＵＥ２が送信予定のＭＡＣ  ＰＤＵ（ＭＡＣ  ＰＤＵ２、３、４）についても優先度の高いＭＡＣ  ＰＤＵであることを認識することが可能になる。なお、図１０Ｃに示すように、ＭＡＣ  ＰＤＵの優先度と当該ＭＡＣ  ＰＤＵに対応するＬＣＩＤ（Logical Channel ID）とを含むサブヘッダを定義するようにしてもよい。
【００４８】
（優先度の高いＭＡＣ  ＰＤＵを認識した際の処理手順）
ユーザ装置ＵＥ１は、受信したＳＣＩにより優先度の高いＭＡＣ  ＰＤＵが送信されようとしていることを予め把握した場合、又は、受信したＭＡＣ  ＰＤＵサブヘッダにより優先度の高いＭＡＣ  ＰＤＵを受信したことを認識した場合、「Ｐｒｅ−ｅｍｐｔｉｏｎ信号」を受信するために、自身が送信予定であるＭＡＣ  ＰＤＵの送信を中止する（送信前に破棄する）ようにしてもよい。例えば、図９において、ユーザ装置ＵＥ１は、特定のサブフレーム以後の全てのサブフレームにおいてＭＡＣ  ＰＤＵの送信を中止し、ユーザ装置ＵＥ２から送信される「Ｐｒｅ−ｅｍｐｔｉｏｎ信号」を受信するようにしてもよい。
【００４９】
また、ユーザ装置ＵＥ１は、ユーザ装置ＵＥ２がＭＡＣ  ＰＤＵを送信予定のサブフレームを、ユーザ装置ＵＥ２が送信したＴ−ＲＰＴから認識することができる。従って、ユーザ装置ＵＥ２がＭＡＣ  ＰＤＵを送信予定のサブフレームに限りＭＡＣ  ＰＤＵの送信を中止し、ユーザ装置ＵＥ２から送信される「Ｐｒｅ−ｅｍｐｔｉｏｎ信号」を受信するようにしてもよい。例えば、ユーザ装置ＵＥ１は、図９において、ユーザ装置ＵＥ２のＴ−ＲＰＴ及びユーザ装置ＵＥ１のＴ−ＲＰＴの両方が「１」であるサブフレームに限りＭＡＣ  ＰＤＵの送信を中止するようにしてもよい。
【００５０】
（変形例について）
実施の形態では、優先度が高いユーザ装置ＵＥ２がＤ２Ｄ信号を送信するリソースプールを予め確保しておくようにしてもよい。
【００５１】
図１１は、優先度が高いユーザ装置向けのリソースプールの一例を示す図である。図１１に示すように、Ｄ２Ｄ通信に割当てられるリソースプールのうち、特定のリソースプールを「Ｐｒｅ−ｅｍｐｔｉｏｎ信号」送信用のリソースプールとして確保してもよい。優先度の低いユーザ装置ＵＥ１は、当該リソースプールについてはＤ２Ｄ信号を送信せずに、優先度の高いユーザ装置ＵＥ２がＤ２Ｄ信号を送信していないか否かをモニタしておくようにする。また、優先度の高いユーザ装置ＵＥ２は、「Ｐｒｅ−ｅｍｐｔｉｏｎ信号」を送信する際にのみ、当該リソースプールを用いてＳＣＩ及びＭＡＣ  ＰＤＵの送信を行うようにする。
【００５２】
優先度が高いユーザ装置向けのリソースプールを示す情報は、基地局ｅＮＢからＲＲＣ信号、報知情報（ＳＩＢ）、レイヤ１又はレイヤ２の制御信号を介してユーザ装置ＵＥに通知されるようにしてもよい。また、ＳＩＭ（Subscriber Identity Module）に予め設定されていてもよいし、コアネットワークから送信される上位レイヤの制御信号を介して通知されるようにしてもよい。
【００５３】
＜機能構成＞
以上説明した実施の形態の動作を実行するユーザ装置ＵＥと基地局ｅＮＢとの機能構成例を説明する。
【００５４】
（ユーザ装置）
図１２は、実施の形態に係るユーザ装置の機能構成の一例を示す図である。図１２に示すように、ユーザ装置ＵＥは、信号送信部１０１と、信号受信部１０２と、検出部１０３とを有する。なお、図１２は、ユーザ装置ＵＥにおいて本発明の実施の形態に特に関連する機能部のみを示すものであり、少なくともＬＴＥに準拠した動作を行うための図示しない機能も有するものである。また、図１２に示す機能構成は一例に過ぎない。本実施の形態に係る動作を実行できるのであれば、機能区分及び機能部の名称はどのようなものでもよい。
【００５５】
信号送信部１０１は、ユーザ装置ＵＥから送信されるべき上位のレイヤの信号から、物理レイヤの各種信号を生成し、無線送信する機能を含む。また、信号送信部１０１は、Ｄ２Ｄ信号（ＳＣＩ、ＭＡＣ  ＰＤＵ等）の送信機能とセルラー通信の送信機能を有する。信号送信部１０１は、ＳＣＩを送信する第一の送信部と、ＳＣＩに従ってＭＡＣ  ＰＤＵを送信する第二の送信部に分けられていてもよい。
【００５６】
また、信号送信部１０１は、優先度の高いＭＡＣ  ＰＤＵ（「Ｐｒｅ−ｅｍｐｔｉｏｎ信号」を含むＭＡＣ  ＰＤＵ）を送信する場合に、ＰＳＣＣＨに割当てられた無線リソースのうち優先度の高いＭＡＣ  ＰＤＵに対応するＳＣＩの送信に用いられる特定のサブフレームを用いてＳＣＩを送信するようにしてもよい。また、信号送信部１０１は、優先度の高いＭＡＣ  ＰＤＵを送信する場合に、ＳＣＩを３回以上繰り返し送信するようにしてもよい。
【００５７】
また、信号送信部１０１は、優先度の高いＭＡＣ  ＰＤＵを送信する際、Ｄ２Ｄ通信に割当てられた無線リソースのうち特定の無線リソース（特定のＳＣ  Ｐｅｒｉｏｄ）において、ＭＡＣ  ＰＤＵを送信可能な送信タイミング数が所定の閾値以上であるＴ−ＲＰＴを選択してＳＣＩを送信するようにしてもよい。
【００５８】
また、信号送信部１０１は、優先度の高いＭＡＣ  ＰＤＵを送信する際、ＰＳＳＣＨに割当てられた無線リソースのうち優先度の高いＭＡＣ  ＰＤＵを送信する際に用いられる特定のサブフレームでＭＡＣ  ＰＤＵを送信可能なＴ−ＲＰＴを選択してＳＣＩを送信するようにしてもよい。
【００５９】
また、信号送信部１０１は、優先度の高いＭＡＣ  ＰＤＵが含まれることを示す情報をサブヘッダ部に含むＭＡＣ  ＰＤＵを送信するようにしてもよい。
【００６０】
信号受信部１０２は、他のユーザ装置ＵＥ又は基地局ｅＮＢから各種の信号を無線受信し、受信した物理レイヤの信号からより上位のレイヤの信号を取得する機能を含む。また、信号受信部１０２は、Ｄ２Ｄ信号（ＳＣＩ、ＭＡＣ  ＰＤＵ等）の受信機能とセルラー通信の受信機能を有する。
【００６１】
検出部１０３は、信号受信部１０２で受信されたＳＣＩ又はＭＡＣ  ＰＤＵに含まれる情報に基づき、優先度の高いＭＡＣ  ＰＤＵが送信されようとしていること、及び優先度の高いＭＡＣ  ＰＤＵを受信したことを検出する機能を有する。
【００６２】
なお、検出部１０３は、ＰＳＣＣＨに割当てられた無線リソースのうち優先度の高いＭＡＣ  ＰＤＵを送信する際に用いられる特定のサブフレームでＳＣＩが受信された場合、又は、優先度の高いＭＡＣ  ＰＤＵの送信が予定されていることを示す情報がＳＣＩに含まれていた場合に、優先度の高いＭＡＣ  ＰＤＵが送信されようとしていることを検出するようにしてもよい。また、検出部は、ＭＡＣ  ＰＤＵのサブヘッダ内に優先度の高いＭＡＣ  ＰＤＵが含まれることを示す情報が含まれている場合に、優先度の高いＭＡＣ  ＰＤＵを受信したことを検出するようにしてもよい。
【００６３】
また、検出部１０３は、優先度の高いＭＡＣ  ＰＤＵが送信されようとしていること、及び優先度の高いＭＡＣ  ＰＤＵを受信したことを検出した場合、信号送信部１０１にＭＡＣ  ＰＤＵの送信を中止するように指示してもよい。また、検出部１０３は、信号送信部１０１に対して、他のユーザ装置ＵＥから受信したＳＣＩに含まれるＴ−ＲＰＴにより特定されるサブフレームにおいて、ＭＡＣ  ＰＤＵの送信を中止するように指示してもよい。なお、検出部１０３は、信号受信部１０２に含まれていてもよいし、信号送信部１０１に含まれていてもよい。
【００６４】
（基地局）
図１３は、実施の形態に係る基地局の機能構成の一例を示す図である。図１３に示すように、基地局ｅＮＢは、信号送信部２０１と、信号受信部２０２と、通知部２０３とを有する。なお、図１３は、基地局ｅＮＢにおいて本発明の実施の形態に特に関連する機能部のみを示すものであり、少なくともＬＴＥに準拠した動作を行うための図示しない機能も有するものである。また、図１３に示す機能構成は一例に過ぎない。本実施の形態に係る動作を実行できるのであれば、機能区分及び機能部の名称はどのようなものでもよい。
【００６５】
信号送信部２０１は、基地局ｅＮＢから送信されるべき上位のレイヤの信号から、物理レイヤの各種信号を生成し、無線送信する機能を含む。信号受信部２０２は、ユーザ装置ＵＥから各種の信号を無線受信し、受信した物理レイヤの信号からより上位のレイヤの信号を取得する機能を含む。
【００６６】
通知部２０３は、ユーザ装置ＵＥがＤ２Ｄ信号送信処理を行う際に用いる各種情報（優先度の高いユーザ装置ＵＥ２のみがＳＣＩを送信可能な無線リソース、優先度の高いＭＡＣ  ＰＤＵの送信にのみ用いられる特定のＴ−ＲＰＴ、優先度の高いユーザ装置ＵＥ２が用いる所定の閾値、優先度の低いユーザ装置ＵＥ１が用いる所定の閾値、「ｎ」及び「Ｔ」の値、優先度が高いユーザ装置向けのリソースプールを示す情報等）を、ＲＲＣ信号、報知情報（ＳＩＢ）、レイヤ１又はレイヤ２の制御信号を介してユーザ装置ＵＥに通知する。
【００６７】
＜ハードウェア構成＞
上記実施の形態の説明に用いたブロック図（図１２及び図１３）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００６８】
例えば、本発明の一実施の形態におけるユーザ装置ＵＥ及び基地局ｅＮＢは、本発明の通信方法の処理を行うコンピュータとして機能してもよい。図１４は、実施の形態に係るユーザ装置ＵＥ及び基地局ｅＮＢのハードウェア構成の一例を示す図である。上述のユーザ装置ＵＥ及び基地局ｅＮＢは、物理的には、プロセッサ１００１、メモリ１００２、ストレージ１００３、通信装置１００４、入力装置１００５、出力装置１００６、バス１００７などを含むコンピュータ装置として構成されてもよい。
【００６９】
なお、以下の説明では、「装置」という文言は、回路、デバイス、ユニットなどに読み替えることができる。ユーザ装置ＵＥ及び基地局ｅＮＢのハードウェア構成は、図に示した各装置を１つ又は複数含むように構成されてもよいし、一部の装置を含まずに構成されてもよい。
【００７０】
ユーザ装置ＵＥ及び基地局ｅＮＢにおける各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００７１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、ユーザ装置ＵＥの信号送信部１０１と、信号受信部１０２と、検出部１０３と、基地局ｅＮＢの信号送信部２０１と、信号受信部２０２と、通知部２０３とは、プロセッサ１００１で実現されてもよい。
【００７２】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ユーザ装置ＵＥの信号送信部１０１と、信号受信部１０２と、検出部１０３と、基地局ｅＮＢの信号送信部２０１と、信号受信部２０２と、通知部２０３とは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００７３】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る通信方法を実施するために実行可能なプログラム（プログラムコード）、ソフトウェアモジュールなどを保存することができる。
【００７４】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００７５】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、ユーザ装置ＵＥの信号送信部１０１と、信号受信部１０２と、基地局ｅＮＢの信号送信部２０１と、信号受信部２０２とは、通信装置１００４で実現されてもよい。
【００７６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００７７】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００７８】
また、ユーザ装置ＵＥ及び基地局ｅＮＢは、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７９】
＜まとめ＞
以上、実施の形態によれば、Ｄ２Ｄ通信をサポートする無線通信システムにおけるユーザ装置であって、優先度の高いＭＡＣ  ＰＤＵを送信する場合に、Ｄ２Ｄ用制御チャネルに割当てられた無線リソースのうち優先度の高いＭＡＣ  ＰＤＵに対応する無線リソース割当て情報の送信に用いられる特定のサブフレームを用いて、無線リソース割当て情報を送信する第一の送信部と、送信された前記無線リソース割当て情報に従って、Ｄ２Ｄ用データチャネルでＭＡＣ  ＰＤＵを送信する第二の送信部と、を有するユーザ装置が提供される。このユーザ装置ＵＥにより、Ｄ２Ｄ通信において、優先度の高いデータの受信率を高めることが可能な技術が提供される。
【００８０】
また、前記第一の送信部は、Ｄ２Ｄ通信に割当てられた無線リソースのうち特定の無線リソースにおいて、ＭＡＣ  ＰＤＵを送信可能な送信タイミング数が所定の閾値以上である送信タイミングパターンを含む前記無線リソース割当て情報を送信するようにしてもよい。これにより、特定の無線リソースにおいてより多くのＭＡＣ  ＰＤＵを送信することができ、優先度の高いＭＡＣ  ＰＤＵの受信率を更に高めることが可能になる。
【００８１】
また、前記第一の送信部は、Ｄ２Ｄ用データチャネルに割当てられた無線リソースのうち優先度の高いＭＡＣ  ＰＤＵを送信する際に用いられる特定のサブフレームでＭＡＣ  ＰＤＵを送信可能な送信タイミングパターンを含む前記無線リソース割当て情報を送信するようにしてもよい。これにより、特定のサブフレームでは優先度の高いＭＡＣ  ＰＤＵが送信されることになり、優先度の高いデータの受信率を更に高めることが可能になる。
【００８２】
また、前記第二の送信部は、優先度の高いＭＡＣ  ＰＤＵが含まれることを示す情報をサブヘッダ部に含めてＤ２Ｄ用データチャネルで前記ＭＡＣ  ＰＤＵを送信するようにしてもよい。これにより、ＭＡＣ  ＰＤＵを受信したユーザ装置ＵＥは、ＭＡＣ  ＰＤＵに優先度の高いデータが格納されていることを把握することが可能になる。
【００８３】
また、実施の形態によれば、Ｄ２Ｄ通信をサポートする無線通信システムにおけるユーザ装置であって、Ｄ２Ｄ用制御チャネルで無線リソース割当て情報を受信し、受信した無線リソース割当て情報に対応するＭＡＣ  ＰＤＵをＤ２Ｄ用データチャネルで受信する受信部と、他のユーザ装置向けのＭＡＣ  ＰＤＵを送信する送信部であって、Ｄ２Ｄ用制御チャネルに割当てられた無線リソースのうち優先度の高いＭＡＣ  ＰＤＵに対応する無線リソース割当て情報の送信に用いられる特定のサブフレームで前記受信した無線リソース割当て情報が受信された場合、優先度の高いＭＡＣ  ＰＤＵの送信が予定されていることを示す情報が前記受信した無線リソース割当て情報に含まれていた場合、又は、受信部で受信されたＭＡＣ  ＰＤＵのサブヘッダに優先度の高いＭＡＣ  ＰＤＵが含まれることを示す情報が含まれていた場合に、前記他のユーザ装置向けのＭＡＣ  ＰＤＵの送信を中止する送信部と、を有するユーザ装置が提供される。このユーザ装置ＵＥにより、Ｄ２Ｄ通信において、優先度の高いデータの受信率を高めることが可能な技術が提供される。
【００８４】
また、前記送信部は、前記受信した無線リソース割当て情報に含まれる送信タイミングパターンにより特定されるサブフレームにおいて、前記他のユーザ装置向けのＭＡＣ  ＰＤＵの送信を中止するようにしてもよい。これにより、ユーザ装置ＵＥは、受信したＳＣＩに含まれるＴ−ＲＰＴにより特定されるサブフレーム以外のサブフレームではＭＡＣ  ＰＤＵを送信することができるため、優先度の高いＭＡＣ  ＰＤＵを受信しつつ、他のユーザ装置向けのＭＡＣ  ＰＤＵの送信を行うことが可能になる。
【００８５】
また、実施の形態によれば、Ｄ２Ｄ通信をサポートする無線通信システムにおけるユーザ装置が行う通信方法であって、優先度の高いＭＡＣ  ＰＤＵを送信する場合に、Ｄ２Ｄ用制御チャネルに割当てられた無線リソースのうち優先度の高いＭＡＣ  ＰＤＵに対応する無線リソース割当て情報の送信に用いられる特定のサブフレームを用いて、無線リソース割当て情報を送信する第一の送信ステップと、送信された前記無線リソース割当て情報に従って、Ｄ２Ｄ用データチャネルでＭＡＣ  ＰＤＵを送信する第二の送信ステップと、を有する通信方法が提供される。この通信方法により、Ｄ２Ｄ通信において、優先度の高いデータの受信率を高めることが可能な技術が提供される。
【００８６】
また、実施の形態によれば、Ｄ２Ｄ通信をサポートする無線通信システムにおけるユーザ装置が行う通信方法であって、Ｄ２Ｄ用制御チャネルで無線リソース割当て情報を受信し、受信した無線リソース割当て情報に対応するＭＡＣ  ＰＤＵをＤ２Ｄ用データチャネルで受信する受信ステップと、他のユーザ装置向けのＭＡＣ  ＰＤＵを送信する送信ステップであって、Ｄ２Ｄ用制御チャネルに割当てられた無線リソースのうち優先度の高いＭＡＣ  ＰＤＵに対応する無線リソース割当て情報の送信に用いられる特定のサブフレームで前記受信した無線リソース割当て情報が受信された場合、優先度の高いＭＡＣ  ＰＤＵの送信が予定されていることを示す情報が前記受信した無線リソース割当て情報に含まれていた場合、又は、受信ステップで受信されたＭＡＣ  ＰＤＵのサブヘッダに優先度の高いＭＡＣ  ＰＤＵが含まれることを示す情報が含まれていた場合に、前記他のユーザ装置向けのＭＡＣ  ＰＤＵの送信を中止する送信ステップと、を有する通信方法が提供される。この通信方法により、Ｄ２Ｄ通信において、優先度の高いデータの受信率を高めることが可能な技術が提供される。
【００８７】
＜実施形態の補足＞
以上、図７Ａ、Ｂ、Ｃ、Ｄ、図８及び図９を用いて説明した処理手順は、任意に組み合わせることができる。
【００８８】
Ｄ２Ｄ信号、ＲＲＣ信号及び制御信号は、それぞれＤ２Ｄメッセージ、ＲＲＣメッセージ及び制御メッセージであってもよい。
【００８９】
以上、実施の形態では「優先度の高いＭＡＣ  ＰＤＵ」を用いて説明したが、必ずしも優先度が高いＭＡＣ  ＰＤＵに限られない。本実施の形態は、他のＭＡＣ  ＰＤＵと区別されるＭＡＣ  ＰＤＵであれば、どのようなＭＡＣ  ＰＤＵにも適用できる。
【００９０】
ＰＳＣＣＨは、Ｄ２Ｄ通信に用いられる制御情報（ＳＣＩ等）を送信するための制御チャネルであれば他の制御チャネルであってもよい。ＰＳＳＣＨは、Ｄ２Ｄ通信に用いられるデータ（ＭＡＣ  ＰＤＵ等）を送信するためのデータチャネルであれば他のデータチャネルであってもよい。
【００９１】
方法の請求項は、サンプル的順序で様々なステップの要素を提示しており、請求項の中で明記していない限り、提示した特定の順序に限定されない。
【００９２】
以上、本発明の実施の形態は、ＬＴＥ、ＬＴＥ−Ａ、ＣＤＭＡ２０００、ＵＭＢ（Ultra Mobile Broadband）、ＩＥＥＥ８０２．１１(Wi-Fi（登録商標）)、ＩＥＥＥ８０２．１６(WiMAX（登録商標）)、ＩＥＥＥ８０２．２０、ＵＷＢ（Ultra-Wideband）、Ｂｌｕｅｔｏｏｔｈ（登録商標）および/または他の適切なシステムを利用するシステムに拡張され得る。
【００９３】
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００９４】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ及び基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９５】
なお、実施の形態において、検出部１０３及び信号送信部１０１は、第一の送信部及び第二の送信部の一例である。検出部１０３及び信号受信部１０２は、受信部の一例である。「Ｐｒｅ−ｅｍｐｔｉｏｎ信号」を送信するためのＳＣ  Ｐｅｒｉｏｄは、Ｄ２Ｄ通信に割当てられた無線リソースのうち特定の無線リソースの一例である。ＳＣＩは無線リソース割当て情報の一例である。Ｔ−ＲＰＴは送信タイミングパターンの一例である。ＰＳＣＣＨは、Ｄ２Ｄ用制御チャネルの一例である。ＰＳＳＣＨは、Ｄ２Ｄ用データチャネルの一例である。
【００９６】
本特許出願は２０１５年８月１３日に出願した日本国特許出願第２０１５−１５９９９０号に基づきその優先権を主張するものであり、日本国特許出願第２０１５−１５９９９０号の全内容を本願に援用する。
【符号の説明】
【００９７】
ＵＥ  ユーザ装置
ｅＮＢ  基地局
１０１  信号送信部
１０２  信号受信部
１０３  検出部
２０１  信号送信部
２０２  信号受信部
２０３  通知部
１００１  プロセッサ
１００２  メモリ
１００３  ストレージ
１００４  通信装置
１００５  入力装置
１００６  出力装置
【図１Ａ】
2017026517.tif 000003
【図１Ｂ】
2017026517.tif 000004
【図１Ｃ】
2017026517.tif 000005
【図２】
2017026517.tif 000006
【図３】
2017026517.tif 000007
【図４】
2017026517.tif 000008
【図５】
2017026517.tif 000009
【図６】
2017026517.tif 000010
【図７Ａ】
2017026517.tif 000011
【図７Ｂ】
2017026517.tif 000012
【図７Ｃ】
2017026517.tif 000013
【図７Ｄ】
2017026517.tif 000014
【図８】
2017026517.tif 000015
【図９】
2017026517.tif 000016
【図１０Ａ】
2017026517.tif 000017
【図１０Ｂ】
2017026517.tif 000018
【図１０Ｃ】
2017026517.tif 000019
【図１１】
2017026517.tif 000020
【図１２】
2017026517.tif 000021
【図１３】
2017026517.tif 000022
【図１４】
2017026517.tif 000023
【国際調査報告】
2017026517.tif 000024
2017026517.tif 000025
2017026517.tif 000026
2017026517.tif 000027